(57)【要約】【課題】コンベヤの清掃等のメンテナンス作業がやり易い熱交換処理装置を提供する。【解決手段】熱交換処理装置１は、内容物を封入した包装袋Ｐを、上下方向に並設された複数のコンベヤ８ａ，８ｂ，８ｃ，８ｄで搬送しながら、熱交換器５で冷却または加熱された気体を送り込んだ熱交換処理室２内を通過させて熱交換処理する。熱交換処理室２の外に、複数のコンベヤ８ａ，８ｂ，８ｃ，８ｄの少なくとも１個を引出し可能にするスライド機構１６，１７を設ける。【選択図】　図１
2004083082.tif 000002
【特許請求の範囲】
【請求項１】
内容物を封入した包装袋を、上下方向に並設された複数のコンベヤで搬送しながら、熱交換器で冷却または加熱された気体を送り込んだ熱交換処理室内を通過させて熱交換処理する熱交換処理装置であって、
前記熱交換処理室の外に、前記複数のコンベヤの少なくとも１個を引出し可能にするスライド機構を設けたことを特徴とする熱交換処理装置。
【請求項２】
内容物を封入した包装袋を、多段に並設された複数のコンベヤで搬送しながら、熱交換器で冷却または加熱された気体を送り込んだ熱交換処理室内を通過させて熱交換処理する熱交換処理装置であって、
前記熱交換処理室の外に、前記複数のコンベヤを夫々引出し可能にするスライド機構を設けたことを特徴とする熱交換処理装置。
【発明の詳細な説明】
【０００１】
【産業上の利用分野】
本発明は、内容物を封入した包装袋をコンベアで熱交換処理室内を搬送しながら熱交換処理する熱交換処理装置に関するものである。
【０００２】
【従来の技術】
従来より、液状物質からなる内容物は包装フィルムによって製袋しながらヒートシールして包装袋内に充填包装される。前記内容物が食品類の場合、衛生面の都合から一般的に包装作業を行う前、またはその包装作業後に殺菌処理のために加熱処理することがある。このとき、加熱されたままの状態では内容物が変質してしまう虞があり、また高温の状態ではその後の工程（例えば箱詰め工程）においての作業が困難となることがある。
【０００３】
そこで、例えば実開平４−１３２０１４号公報に示されているように、上側に設けた入口より搬入したシール袋を、冷却室の内部で往復を繰り返しながら次第に下側の出口に向けて搬送する多段式のネットコンベヤを設けた冷却装置が提案されている。掛かる冷却装置は、ネットコンベヤによってシール袋を搬送しながら、冷却用空気を冷却室内に通してシール袋を冷却するように構成されている。また、本願出願人は、多段式のローラコンベヤで包装袋を搬送しながら、熱交換処理室内を通過させて熱交換処理する熱交換処理装置を提案している（特願２００２−１９０５９７号）。
【０００４】
【発明が解決しようとする課題】
しかしながら、上記の熱交換処理装置は、ローラコンベヤが多段になっているため、必ずしもローラコンベヤのメンテナンス作業がやり易いとは言えなかった。つまり、ローラコンベヤの清掃等のメンテナンス作業は熱交換処理室の側面側パネルを取り外してから行うが、コンベヤとコンベヤの間隔が狭いため、メンテナンス作業を行うための十分な上下方向のスペースがなく、特に、コンベヤの幅が大きい場合には、メンテナンス作業がやり難いという問題を有していた。一方、コンベヤとコンベヤの間隔を大きく設定した構造に設計したとすると、熱交換処理装置が大型化してしまう虞があった。本発明は、この問題に鑑みなされたものであり、コンベヤの清掃等のメンテナンス作業がやり易い熱交換処理装置を提供するものである。
【０００５】
【課題を解決するための手段】
本発明は、前記課題を達成するため、内容物を封入した包装袋Ｐを、上下方向に並設された複数のコンベヤ８ａ，８ｂ，８ｃ，８ｄで搬送しながら、熱交換器５で冷却または加熱された気体を送り込んだ熱交換処理室２内を通過させて熱交換処理する熱交換処理装置１であって、前記熱交換処理室２の外に、前記複数のコンベヤ８ａ，８ｂ，８ｃ，８ｄの少なくとも１個を引出し可能にするスライド機構１６を設けたものである。
【０００６】
また、本発明は、内容物を封入した包装袋Ｐを、多段に並設された複数のコンベヤ８ａ，８ｂ，８ｃ，８ｄで搬送しながら、熱交換器５で冷却または加熱された気体を送り込んだ熱交換処理室２内を通過させて熱交換処理する熱交換処理装置１であって、前記熱交換処理室２の外に、前記複数のコンベヤ８ａ，８ｂ，８ｃ，８ｄを夫々引出し可能にするスライド機構１６を設けたものである。
【０００７】
【発明の実施の形態】
以下、本発明の一実施形態を添付の図面に基づいて説明する。熱交換処理装置１は、図示しない充填包装機によって高温の液体や粘稠物などからなる内容物を加熱殺菌しながら充填包装された包装袋Ｐを冷却するものである。
【０００８】
熱交換処理装置１には、熱交換処理室２の上部側に包装袋Ｐの供給口３が設けられると共に、熱交換処理室２の下部側には包装袋Ｐの搬出口４が設けられている。また、熱交換処理室２の下部側中央には熱交換器５が設置され、送風ファン６によって熱交換器５の冷気が後述するローラコンベヤの上側に夫々配置された送風ダクト７から送り出される。
【０００９】
熱交換処理室２の内部には、供給口３の近傍に最上段のローラコンベヤ８ａが設けられ、この最上段のローラコンベヤ８ａから順次下側に複数のローラコンベヤ８ｂ，８ｃ，８ｄが配設されている。最下段のローラコンベヤ８ｄの搬出端側は搬出口４に対応して設けられている。熱交換処理室２の供給口３から供給されてきた包装袋Ｐは、最上段のローラコンベヤ８ａに供給され、その最上段のローラコンベヤ８ａから順次ローラコンベヤ８ｂ，８ｃ，８ｄへと左右に搬送を繰り返しながら搬出口４に向けて搬送される。
【００１０】
各ローラコンベヤ８ａ，８ｂ，８ｃ，８ｄには、包装袋Ｐの下面側を支えつつ一定方向に搬送するための回転ロール９が所定の間隔を配して連続して並設されている。回転ロール９の断面形状は八角形になっており、包装袋Ｐを支持する位置が回転ロール９の回転作動に伴い上下方向に移行することによって包装袋Ｐ内の内容物が攪拌される。また、ローラコンベヤ８ａ，８ｂ，８ｃ，８ｄに設けられた回転ロール９の断面の大きさは大小の２段階に異なっており、大小の断面八角形形状の回転ロール９が交互に配列されている。
【００１１】
ローラコンベヤ８ａ，８ｂ，８ｃ，８ｄの回転ロール９は、夫々の支軸１０がフレーム１１に回転可能に取り付けられている。回転ロール９の支軸１０の一端にはスプロケット１２が取り付けられ、このスプロケット１２には無端状のチェーン１３を介して回転ロール９を回転駆動する駆動モータ１４が連結されている。
【００１２】
各ローラコンベヤ８ａ，８ｂ，８ｃ，８ｄには、スライドレール１６が夫々設けられており、各コンベヤ８ａ，８ｂ，８ｃ，８ｄを引き出すことが可能になっている。例えば、ローラコンベヤ８ａ，８ｂ，８ｃ，８ｄの回転ロール９を清掃する場合は、ローラコンベヤ８ａ，８ｂ，８ｃ，８ｄを１個ずつ引き出して、夫々を清掃することができる。
【００１３】
内容物が充填された包装袋Ｐは、熱交換処理室２の上部側に設けられた供給口３から最上段に位置したローラコンベヤ８ａへ供給され、順次、下段のローラコンベヤ８ｂ，８ｃ，８ｄで搬出口４まで搬送される。熱交換器５からの冷気は、送風ファン６でローラコンベヤ８ａ，８ｂ，８ｃ，８ｄの上方に配設された送風ダクト７から吹き出され、熱交換処理室２内の雰囲気全体を冷やすとともに、包装袋Ｐ側に向けて送風され、包装袋Ｐの内部の内容物を冷却する。
【００１４】
本実施形態によれば、スライドレール１６を設けたことにより、各ローラコンベヤ８ａ，８ｂ，８ｃ，８ｄを１個ずつ引き出すことができ、清掃等のメンテナンス作業がし易い。従って、各ローラコンベヤ８ａ，８ｂ，８ｃ，８ｄの上下方向の間隔を可及的に小さくすることができ、比較的コンパクトな熱交換処理装置１とすることができる。
【００１５】
なお、熱交換処理室２の内部に、除湿機能を備えた熱交換器５を設置することにより、熱交換処理室２の内部雰囲気中の温度とともに湿気を抑えることができ、これにより冷やされている金属表面である回転ロール９に発生しやすい結露を抑制することができ、包装袋Ｐに水気が付着することを未然に抑えることができ
る。
【００１６】
また、本実施形態では、包装袋Ｐを冷却する場合を例にして説明したが、包装袋Ｐ内の内容物を加熱する場合においても適用可能であり、熱交換装置によって加熱された熱風を循環するように、送風ファンを介して送風ダクトから吹き出して送風することにより、例えば包装袋内の内容物を加熱殺菌することが可能である。
【００１７】
また、本実施形態の熱交換処理装置１は、４個のローラコンベヤ８ａ，８ｂ，８ｃ，８ｄを有するものであったが、例えば上下２段のローラコンベアを有する熱交換処理装置であれば、下段のローラコンベアにのみスライド機構を設けても良いし、また、段数の多いコンベヤにあっては、引き出す方向を同一方向のみならず、前後方向に夫々引き出せるように構成しても同様の作用効果を得ることができる。また、本実施形態のコンベヤはローラコンベヤ８ａ，８ｂ，８ｃ，８ｄであったが、例えば通気性の良好なネットコンベヤであっても良い。また、スライド機構として、レール状の枠体からなるスライダー手段や、回転ローラを用いたスライダー手段など適宜変更可能である。
【００１８】
【発明の効果】
本発明は、内容物を封入した包装袋を、上下方向に並設された複数のコンベヤで搬送しながら、熱交換器で冷却または加熱された気体を送り込んだ熱交換処理室内を通過させて熱交換処理する熱交換処理装置であって、前記熱交換処理室の外に、前記複数のコンベヤの少なくとも１個を引出し可能にするスライド機構を設けたものであり、清掃等のメンテナンス作業がし易い。
【００１９】
また、本発明は、内容物を封入した包装袋を、多段に並設された複数のコンベヤで搬送しながら、熱交換器で冷却または加熱された気体を送り込んだ熱交換処理室内を通過させて熱交換処理する熱交換処理装置であって、前記熱交換処理室の外に、前記複数のコンベヤを夫々引出し可能にするスライド機構を設けたものであり、清掃等のメンテナンス作業がし易い。
【図面の簡単な説明】
【図１】本発明の実施形態を示す熱交換処理装置の側面図。
【図２】同上実施形態を示す熱交換処理装置の正面図。
【図３】同上実施形態を示すローラコンベヤの主要部を示す平面図。
【符号の説明】
Ｐ　　包装袋
Ｗ　　内容物
１　　熱交換処理装置
２　　熱交換処理室
３　　供給口
４　　搬出口
５　　熱交換装置
６　　送風ファン
７　　送風ダクト
８ａ　ローラコンベヤ
８ｂ　ローラコンベヤ
８ｃ　ローラコンベヤ
８ｄ　ローラコンベヤ
【図１】
2004083082.tif 000003
【図２】
2004083082.tif 000004
【図３】
2004083082.tif 000005